(57)【要約】【課題】透過率を向上させることができるタッチ表示装置を提供すること。【解決手段】本発明の一実施例に係るタッチ表示装置は、タッチ表示パネル、およびタッチ表示パネルと連結されたタッチ駆動部を含み、タッチ表示パネルは、複数のタッチ電極および複数のタッチラインが備えられたタッチパネル層、およびタッチパネル層上に配置され、複数の薄膜トランジスタが備えられた駆動層を含む。本発明の一実施例に係るタッチ表示装置は、タッチパネル層を有機発光ダイオードおよび駆動層の下部に配置することで、タッチ表示装置の透過率を向上させることができる。【選択図】図３
2019021309.tif 000002
【特許請求の範囲】
【請求項１】
タッチ表示パネル；および
前記タッチ表示パネルと連結されたタッチ駆動部を含み、
前記タッチ表示パネルは、
複数のタッチ電極および複数のタッチラインが備えられたタッチパネル層、および
前記タッチパネル層上に配置され、複数の薄膜トランジスタが備えられた駆動層
を含む、タッチ表示装置。
【請求項２】
前記タッチ表示パネルは、第１方向に反り、
前記複数のタッチ電極それぞれは、
前記第１方向に延びた少なくとも一つの第１サブタッチ電極、および
前記第１サブタッチ電極から分岐され、前記第１方向と異なる第２方向に延びた少なくとも一つの第２サブタッチ電極を含み、
前記第１サブタッチ電極の個数は、前記第２サブタッチ電極の個数より少ないか、または同様である、
請求項１に記載のタッチ表示装置。
【請求項３】
前記タッチ電極は、「Ｅ」形態である、請求項１に記載のタッチ表示装置。
【請求項４】
前記タッチ電極は、「
【数１】
2019021309.tif 000007
」形態である、請求項１に記載のタッチ表示装置。
【請求項５】
前記タッチ駆動部は、ディスプレイ区間とタッチ区間に時分割駆動し、前記タッチ区間にのみタッチを感知する、請求項１に記載のタッチ表示装置。
【請求項６】
前記タッチ表示パネルは、前記複数のタッチ電極の間に配置される少なくとも一つのダミー電極をさらに含む、請求項１に記載のタッチ表示装置。
【請求項７】
前記ダミー電極の反射率は、前記タッチ電極の反射率と同様である、請求項６に記載のタッチ表示装置。
【請求項８】
前記タッチ表示パネルは、
前記駆動層上に配置され、前記複数の薄膜トランジスタと連結される有機発光ダイオードをさらに含む、請求項１に記載のタッチ表示装置。
【請求項９】
前記タッチ表示パネルは、自己静電容量（Ｓｅｌｆ−ｃａｐａｃｉｔｉｖｅ）方式で駆動される、請求項１に記載のタッチ表示装置。
【発明の詳細な説明】
【技術分野】
【０００１】
本発明は、タッチ表示装置に関し、より詳細には、透過率を向上させることができるタッチ表示装置に関する。
【背景技術】
【０００２】
タッチ表示装置は、液晶表示装置、電界放出表示装置、プラズマディスプレイパネル、有機発光表示装置等のような画像表示装置にタッチパネルを設け、ユーザによるタッチ入力に対応して情報が出力される表示装置である。
【０００３】
タッチ表示装置は、その構造によって、アドオン方式（ａｄｄ−ｏｎ  ｔｙｐｅ）、オンセル方式（ｏｎ−ｃｅｌｌ  ｔｙｐｅ）およびインセル方式（ｉｎ−ｃｅｌｌ  ｔｙｐｅ）に分けられる。これらのうち内蔵型タッチ表示装置は、共通電極をタッチ電極として共用できて厚さを薄くすることができ、タッチ表示装置の内部にタッチ素子が形成されて耐久性を高めることができるため、比較的広く利用されている。
【０００４】
ここで、タッチ表示装置は、タッチ感度の向上のために、タッチ表示パネルの上部層に配置されたタッチ素子を含む。即ち、タッチ表示装置が有機発光表示装置である場合、光が発生する有機発光ダイオードの上部にタッチ素子が配置される。
【０００５】
このように、光が発光する有機発光ダイオードの上部にタッチ素子を配置する場合、タッチ素子を透明な物質で形成しても、外部に透過する光の量が減少し、タッチ表示装置の輝度が減少する問題が発生する。
【０００６】
また、有機発光ダイオードの上部にタッチ素子が配置されることで、タッチ素子のパターンにより有機発光ダイオードで発光した光または外部から入射する光が特定角度で一定に反射し、タッチ表示装置の表示画面が歪むモアレ（ｍｏｉｒｅ）現象が発生するようになる。
【発明の概要】
【発明が解決しようとする課題】
【０００７】
そこで、本発明が解決しようとする課題は、タッチパネル層を有機発光ダイオードおよび駆動層の下部に配置させ、透過率の向上したタッチ表示装置を提供することである。
【０００８】
本発明が解決しようとする他の課題は、タッチ表示装置が反る方向に延びたサブタッチ電極の個数を、タッチ表示装置が反る方向と異なる方向に延びたサブタッチ電極の個数より少なく、または同様にして、反り特性が強化されたタッチ表示装置を提供することである。
【０００９】
本発明の課題は、以上において言及した課題に制限されず、言及されていないまた他の課題は、下記の記載から当業者に明確に理解され得るだろう。
【課題を解決するための手段】
【００１０】
前述したような課題を解決するために、本発明の一実施例に係るタッチ表示装置は、タッチ表示パネル、およびタッチ表示パネルと連結されたタッチ駆動部を含み、タッチ表示パネルは、複数のタッチ電極および複数のタッチラインが備えられたタッチパネル層、およびタッチパネル層上に配置され、複数の薄膜トランジスタが備えられた駆動層を含む。
【００１１】
その他の実施例の具体的な事項は、詳細な説明および図面に含まれている。
【発明の効果】
【００１２】
このように、本発明の一実施例に係るタッチ表示装置は、タッチパネル層を有機発光ダイオードおよび駆動層の下部に配置することで、タッチ表示装置の透過率を向上させることができる。
【００１３】
そして、本発明の一実施例に係るタッチ表示装置の第１方向に延びた第１サブタッチ電極の個数は、第２方向に延びた第２サブタッチ電極の個数より少ないか、または同様であることで、タッチ表示装置の反り特性を強化させることができる。
【００１４】
本発明に係る効果は、以上において例示された内容により制限されず、さらに様々な効果が本明細書内に含まれている。
【図面の簡単な説明】
【００１５】
【図１】本発明の一実施例に係るタッチ表示装置を説明するための概略的なブロック図である。
【図２】本発明の一実施例に係るタッチ表示装置のタッチ表示パネルに配置される画素を示す回路図である。
【図３】本発明の一実施例に係るタッチ表示装置のタッチ表示パネルを示す断面図である。
【図４】本発明の一実施例に係るタッチ表示装置のタッチパネル層およびタッチ駆動部を示す図である。
【図５】本発明の一実施例に係るタッチ表示装置のタッチ電極およびダミー電極を示す図である。
【図６】本発明の一実施例に係るタッチ表示装置のタッチ表示パネルが反った状態を示す図である。
【図７】本発明の一実施例に係るタッチ表示装置のタッチ電極を示す図である。
【図８】本発明の一実施例に係るタッチ表示装置のタッチ電極を示す別の図である。
【図９】本発明の一実施例に係るタッチ表示装置のタッチ電極を示す更に別の図である。
【発明を実施するための形態】
【００１６】
本発明の利点および特徴、そして、それらを達成する方法は、添付の図面と共に詳細に後述されている実施例を参照すれば、明確になるだろう。しかし、本発明は、以下において開示される実施例に限定されるものではなく、互いに異なる様々な形態で具現され、単に、本実施例は、本発明の開示が完全なものとなるようにし、本発明の属する技術の分野における通常の知識を有する者に発明の範疇を完全に知らせるために提供されるものであり、本発明は、請求項の範疇により定義されるだけである。
【００１７】
本発明を説明するにあたって、関連した公知技術についての具体的な説明が本発明の要旨を不要に濁す恐れがあると判断される場合、その詳細な説明は省略する。本明細書上において言及された「含む」、「有する」、「なされる」等が使用される場合、「〜だけ」が使用されない以上、他の部分が加えられ得る。構成要素を単数で表現した場合、特に明示的な記載事項がない限り、複数を含む場合を含む。
【００１８】
構成要素を解釈するにあたって、別途の明示的な記載がなくても誤差範囲を含むものと解釈する。
【００１９】
第１、第２等が様々な構成要素を述べるために使用されるが、これらの構成要素は、これらの用語により制限されない。これらの用語は、単に一つの構成要素を他の構成要素と区別するために使用するものである。従って、以下において言及される第１構成要素は、本発明の技術的思想内で第２構成要素であってもよい。
【００２０】
明細書全体にわたって、同じ参照符号は、同じ構成要素を指す。
本発明の様々な実施例のそれぞれの特徴は、部分的または全体的に互いに結合または組み合わせ可能であり、当業者が十分に理解できるように技術的に多様な連動および駆動が可能であり、各実施例が互いに対して独立して実施可能であっても、関連関係で共に実施可能であってもよい。
【００２１】
以下、添付の図面を参照して、本発明の様々な実施例を詳細に説明する。
【００２２】
図１は、本発明の一実施例に係るタッチ表示装置を説明するための概略的なブロック図である。
【００２３】
図１を参照すると、タッチ表示装置１００は、タッチ表示パネル１１０、データ駆動部１２０、ゲート駆動部１３０およびタッチ駆動部１４０を含む。
【００２４】
ここで、タッチ表示パネル１１０は、映像を出力する表示機能と同時にタッチを感知するタッチ機能をいずれも遂行できるパネルを意味する。
【００２５】
タッチ表示パネル１１０は、ガラスまたはプラスチックを用いた基板、および基板上に交差配置された複数のゲートラインＧＬと複数のデータラインＤＬを含む。複数のゲートラインＧＬとデータラインＤＬの交差地点に複数の画素ＰＸが定義される。
【００２６】
タッチ表示パネル１１０の複数の画素ＰＸそれぞれは、少なくとも一つの薄膜トランジスタを備える。
【００２７】
本発明の一実施例に係るタッチ表示装置１００が液晶表示装置である場合に、ドレイン電極は、共通電極と画素電極と連結されて液晶に印加される電圧を制御することとなる。これによって、液晶の動きを制御して液晶表示装置の階調を具現する。
【００２８】
そして、本発明の一実施例に係るタッチ表示装置１００が有機発光表示装置である場合に、複数の画素ＰＸに備えられた有機発光ダイオードに電流を加えて、放出された電子と正孔の結合で励起子が生成される。そして、励起子が発光して有機発光表示装置の階調を具現することとなる。これについての詳細な内容は、図２を参照して後述する。
【００２９】
ただし、本発明の一実施例に係るタッチ表示装置１００は、液晶表示装置および有機発光表示装置に限定されず、様々な形態のタッチ表示装置であってよい。
画素ＰＸの下部に多数のタッチ電極ＴＥが配置される。それぞれのタッチ電極ＴＥの大きさは、それぞれの画素ＰＸの大きさより大きいか、または同様であってよい。図１に示されたように、一つのタッチ電極ＴＥの面積は、９個の複数の画素ＰＸが配置される面積に該当し得るが、これに制限されるものではない。そして、それぞれのタッチ電極ＴＥは、タッチラインＴＬを通してタッチ駆動部１４０と連結される。
【００３０】
ゲート駆動部１３０は、タイミング制御部から出力されるゲート制御信号（Ｇａｔｅ  Ｃｏｎｔｒｏｌ  Ｓｉｇｎａｌ；ＧＣＳ）によって、オン（Ｏｎ）電圧またはオフ（Ｏｆｆ）電圧のゲート電圧をゲートラインＧＬに順次に供給する。
【００３１】
ゲート制御信号（Ｇａｔｅ  Ｃｏｎｔｒｏｌ  Ｓｉｇｎａｌ；ＧＣＳ）は、ゲートスタートパルス（Ｇａｔｅ  Ｓｔａｒｔ  Ｐｕｌｓｅ；ＧＳＰ）、ゲートシフトクロック（Ｇａｔｅ  Ｓｈｉｆｔ  Ｃｌｏｃｋ；ＧＳＣ）、ゲート出力イネーブル信号（Ｇａｔｅ  Ｏｕｔｐｕｔ  Ｅｎａｂｌｅ；ＧＯＥ）等を含む。
【００３２】
ここで、ゲートスタートパルスは、ゲート駆動部１３０を構成する一つ以上のゲート回路の動作スタートタイミングを制御する。ゲートシフトクロックは、一つ以上のゲート回路に共通して入力されるクロック信号であって、スキャン信号（ゲートパルス）のシフトタイミングを制御する。ゲート出力イネーブル信号は、一つ以上のゲート回路のタイミング情報を指定している。
【００３３】
ゲート駆動部１３０は、駆動方式によって、タッチ表示パネル１１０の一側にのみ位置してもよく、場合によっては両側に位置してもよい。
【００３４】
ゲート駆動部１３０は、シフトレジスタ、レベルシフタ等を含むことができる。
【００３５】
データ駆動部１２０は、タイミング制御部から受信した映像データをデータ制御信号（Ｄａｔａ  Ｃｏｎｔｒｏｌ  Ｓｉｇｎａｌ；ＤＣＳ）に基づいて、アナログ形態のデータ電圧Ｖｄａｔａに変換してデータラインＤＬに出力する。
ここで、データ制御信号（Ｄａｔａ  Ｃｏｎｔｒｏｌ  Ｓｉｇｎａｌ；ＤＣＳ）は、ソーススタートパルス（Ｓｏｕｒｃｅ  Ｓｔａｒｔ  Ｐｕｌｓｅ；ＳＳＰ）、ソースサンプリングクロック（Ｓｏｕｒｃｅ  Ｓａｍｐｌｉｎｇ  Ｃｌｏｃｋ；ＳＳＣ）、ソース出力イネーブル信号（Ｓｏｕｒｃｅ  Ｏｕｔｐｕｔ  Ｅｎａｂｌｅ；ＳＯＥ）等を含む。
【００３６】
ここで、ソーススタートパルスは、データ駆動部１２０を構成する一つ以上のデータ回路のデータサンプリング開始タイミングを制御する。ソースサンプリングクロックは、データ回路それぞれでデータのサンプリングタイミングを制御するクロック信号である。ソース出力イネーブル信号は、データ駆動部１２０の出力タイミングを制御する。
【００３７】
データ駆動部１２０は、テープオートメーテッドボンディング方式またはチップオングラス方式でタッチ表示パネル１１０のボンディングパッドに連結されるか、またはタッチ表示パネル１１０に直接配置されてもよく、場合によって、タッチ表示パネル１１０に集積化されて配置されてもよい。
【００３８】
データ駆動部１２０は、レベルシフタ、ラッチ部等の様々な回路を含むロジック部と、デジタルアナログコンバータ（ＤＡＣ：Ｄｉｇｉｔａｌ  Ａｎａｌｏｇ  Ｃｏｎｖｅｒｔｅｒ）と、出力バッファ等を含むことができる。
【００３９】
図２は、本発明の一実施例に係るタッチ表示装置のタッチ表示パネルに配置される画素を示す回路図である。
【００４０】
図２を参照して各画素ＰＸの駆動を説明すれば、次のとおりである。先ず、各画素ＰＸのゲートラインＧＬに供給されるゲート電圧によりスイッチングトランジスタＳＴがターンオン（ｔｕｒｎ−ｏｎ）される。そして、ターンオン（ｔｕｒｎ−ｏｎ）されたスイッチングトランジスタＳＴにより、データラインＤＬからデータ電圧Ｖｄａｔａが供給され、これを印加された駆動トランジスタＤＴにより駆動電流ＩＯＬＥＤが制御される。最後に、有機発光ダイオードＯＬＥＤは、制御された駆動電流ＩＯＬＥＤに対応する光を放出することで映像を表示する。
【００４１】
タッチ駆動部１４０は、タッチラインＴＬを通してタッチ電極ＴＥと連結され、ユーザのタッチ有無およびタッチ位置を判断する。即ち、ユーザがタッチ表示パネル１１０の一部の領域をタッチする場合、タッチ駆動部１４０は、タッチされたタッチ表示パネル１１０の一部の領域に配置されるタッチ電極ＴＥの静電容量の変化ΔＣｓ（図３参照）を感知して、タッチ表示パネル１１０に対するユーザのタッチ有無およびタッチ位置を判断する。
【００４２】
具体的に、タッチ駆動部１４０は、一定レベルの矩形波であるセンシング電圧をそれぞれのタッチ電極ＴＥに出力する。そして、一定時間の間タッチ電極ＴＥに印加される電圧は、それぞれのタッチ電極ＴＥの静電容量の大きさによって変わる。タッチ駆動部１４０は、このようなタッチ電極ＴＥに印加される電圧の変化を感知して、タッチ電極ＴＥの静電容量の変化ΔＣｓを感知する。このような過程を通して、タッチ駆動部１４０は、タッチ表示パネル１１０でのタッチを感知する。このように、それぞれのタッチ電極ＴＥを利用してタッチを感知する方式を自己静電容量（ｓｅｌｆ−ｃａｐａｃｉｔｉｖｅ）方式という。
【００４３】
そして、タッチ駆動部１４０は、１フレーム区間を、データを表示するディスプレイ区間とタッチを認識するタッチ区間にフレーム区間に時分割して駆動する。具体的に、ディスプレイ区間には各画素の階調を表現するが、タッチ電極ＴＥのタッチ有無は感知せず、タッチ区間には各画素の階調を固定し、タッチ電極ＴＥのタッチ有無を感知する。即ち、タッチ駆動部１４０は、１フレーム区間中、タッチ区間にのみタッチ有無を感知する。
【００４４】
このようにタッチ駆動部１４０が時分割駆動することで、データラインＤＬおよびゲートラインＧＬに印加されるデータ電圧Ｖｄａｔａおよびゲート電圧の変化がないタッチ区間でのみ、タッチ表示パネル１１０でのタッチ有無を感知するようになる。即ち、タッチ区間でデータ電圧Ｖｄａｔａおよびゲート電圧は固定され、データ電圧Ｖｄａｔａおよびゲート電圧によって発生する寄生キャパシタンスによりタッチ電極ＴＥの静電容量の変化ΔＣｓが発生しなくなる。これによって、タッチ駆動部１４０は、タッチ区間でタッチ電極ＴＥの静電容量の変化ΔＣｓを安定して感知でき、タッチ表示パネル１１０のタッチ感度を向上させることができる。
【００４５】
図３は、本発明の一実施例に係るタッチ表示装置のタッチ表示パネルを示す断面図であり、図４は、本発明の一実施例に係るタッチ表示装置のタッチパネル層およびタッチ駆動部を示す図である。
【００４６】
図３を参照すると、タッチ表示パネル１１０は、基板１１１、タッチパネル層１１３、駆動層１１５、発光部１１７および蓋層１１９を含む。
【００４７】
基板１１１は、タッチ表示パネル１１０の構成要素を支持する。基板１１１は、フレキシブル（ｆｌｅｘｉｂｌｅ）な物質からなり得、一定の弾性を有し、外力によって反り得る。このために、基板１１１は、ポリイミド（ＰＩ、Ｐｏｌｙｉｍｉｄｅ）等のような反り特性のあるプラスチックからなり得る。
【００４８】
タッチパネル層１１３は、基板１１１上に配置される。タッチパネル層１１３は、複数のタッチ電極ＴＥ、および複数のタッチ電極ＴＥをタッチ駆動部１４０と連結する複数のタッチラインＴＬを含む。そこで、複数のタッチラインＴＬを通してそれぞれのタッチ電極ＴＥが個別的にタッチ駆動部１４０と連結され得る。これによって、タッチ駆動部１４０は、それぞれのタッチ電極ＴＥの静電容量の変化ΔＣｓを感知でき、タッチ表示パネル１１０は、自己静電容量（ｓｅｌｆ−ｃａｐａｃｉｔｉｖｅ）方式でタッチを感知できる。
【００４９】
タッチ電極ＴＥおよびタッチラインＴＬは、電気伝導性の高い金属で構成され得る。例えば、タッチ電極ＴＥおよびタッチラインＴＬは、アルミニウム（Ａｌ）、銅（Ｃｕ）、モリブデン（Ｍｏ）、クロム（Ｃｒ）、金（Ａｕ）、チタン（Ｔｉ）、ニッケル（Ｎｉ）、ネオジム（Ｎｄ）、またはこれらの合金からなる単一層または多重層で形成され得る。このように、電気伝導性に優れた金属でタッチ電極ＴＥおよびタッチラインＴＬを形成することで、タッチラインＴＬと連結されたタッチ駆動部１４０がタッチ電極ＴＥの静電容量の変化ΔＣｓを迅速に把握できる。従って、タッチ表示装置１００のタッチ応答速度を向上させることができる。ただし、これに制限されず、タッチ電極ＴＥおよびタッチラインＴＬは、金属でない導電性物質からなってもよい。
【００５０】
タッチパネル層１１３は、後述する発光部１１７および駆動層１１５の下部に配置される。このように、光が発光する発光部１１７の前面方向にタッチパネル層１１３が配置されず、タッチ表示パネル１１０の透過率が減少しない。さらに、光が発生する発光部１１７の背面方向にタッチパネル層１１３が配置されることで、発光部１１７から背面方向に漏れる光をタッチ表示パネル１１０の前面方向に反射させ、タッチ表示装置１００の光効率を向上させることができる。
【００５１】
図４においては、タッチ電極ＴＥを四角形の形態で表示したが、これに限定されず、様々な形態に変形し得る。これについての詳細な内容は、図７乃至９を参考にして後述する。
【００５２】
図５は、本発明の一実施例に係るタッチ表示装置のタッチ電極およびダミー電極を示す図である。
【００５３】
図５を参照すると、複数のタッチ電極ＴＥの間の離隔空間にダミー電極ＤＥが配置される。ダミー電極ＤＥは、タッチ電極ＴＥと反射率が同一の物質で構成され得る。即ち、ダミー電極ＤＥの反射率は、タッチ電極ＴＥの反射率と同一であってよい。例えば、ダミー電極ＤＥもまた、アルミニウム（Ａｌ）、銅（Ｃｕ）、モリブデン（Ｍｏ）、クロム（Ｃｒ）、金（Ａｕ）、チタン（Ｔｉ）、ニッケル（Ｎｉ）、ネオジム（Ｎｄ）、またはこれらの合金からなる単一層または多重層で形成され得る。
【００５４】
上述したように、複数のタッチ電極ＴＥの間にダミー電極ＤＥを形成することで、タッチパネル層１１３の全ての領域の反射率を実質的に同等に設定できる。これによって、外部でタッチ電極ＴＥのパターンを別に認知できなくなり、タッチ電極ＴＥのパターンによる画面歪み現象を防止できる。
【００５５】
駆動層１１５は、タッチパネル層１１３上に配置され、複数の薄膜トランジスタおよびそれぞれの薄膜トランジスタと連結されるデータラインＤＬおよびゲートラインＧＬが配置される。また、有機発光ダイオードＯＬＥＤを駆動するために用いられるキャパシタが駆動層１１５にさらに含まれてもよい。
【００５６】
具体的に、薄膜トランジスタのゲート電極は、ゲートラインＧＬに連結され、ソース電極は、データラインＤＬに連結され、ドレイン電極は、発光部１１７に配置されたそれぞれの有機発光ダイオードＯＬＥＤと電気的に連結される。ただし、これに制限されず、このように駆動層１１５に薄膜トランジスタ、データラインＤＬおよびゲートラインＧＬを配置して、発光部１１７に配置された有機発光ダイオードＯＬＥＤを駆動できる。
【００５７】
発光部１１７は、駆動層１１５上に配置され、薄膜トランジスタと連結される複数の有機発光ダイオードＯＬＥＤを含む。
【００５８】
具体的に、複数の有機発光ダイオードＯＬＥＤは、特定カラーの光を具現できる。例えば、複数の有機発光ダイオードＯＬＥＤは、赤色を具現する赤色有機発光ダイオードＲ、緑色を具現する緑色有機発光ダイオードＧ、青色を具現する青色有機発光ダイオードＢ、および白色を具現する白色有機発光ダイオードＷで構成され得るが、これに制限されることはない。
【００５９】
蓋層１１９は、タッチ表示パネル１１０の最上層に配置され、封止層、偏光層および保護層を含むことができる。
【００６０】
封止層は、発光部１１７上に配置され、有機発光ダイオードＯＬＥＤの透湿を防止する役割を果たす。
【００６１】
封止層は、無機物層と有機物層が交互に積層され得、無機物からなる無機物層は、アルミニウム（Ａｌ）系列またはシリコン（Ｓｉ）系列の炭化化合物、窒化化合物、酸化化合物からなり得、有機物からなる有機物層は、エポキシ（Ｅｐｏｘｙ）系列またはアクリル（Ａｃｒｙｌ）系列のポリマーからなり得る。
【００６２】
偏光層は、封止層上に配置され、外光反射による画質歪みを防止できる。偏光層は、一つの偏光軸だけを含み、タッチ表示パネル１１０の内部に入射する光を一つの偏光軸に偏光させる。そして、偏光された光が駆動層１１５またはタッチパネル層１１３に反射して、偏光された光の位相が反転することとなる。その後は、位相が反転した光が偏光層により外部に透過できず、外光反射を遮断することができる。
【００６３】
保護層は、タッチ表示パネル１１０の最上層に配置され、タッチ表示パネル１１０を保護する役割を果たす。このために、保護層は、透過率が高く、かつ機械的剛性が高い物質で形成され得る。また、前述したように、基板１１１はフレキシブルな特性があるので、保護層もまたフレキシブルな特性を有する物質で形成され得る。
【００６４】
図６は、本発明の一実施例に係るタッチ表示パネルが反った状態を示す図である。
【００６５】
前述したように、タッチ表示パネル１１０は、一定方向に反り得る。ここで、タッチ表示パネル１１０が一定方向に反るとき、反る方向を第１方向と定義し、第１方向に垂直な方向を第２方向と定義することができる。ただし、図６においては、第２方向を第１方向と垂直な方向と定義したが、これに制限されず、第２方向は、第１方向と異なる方向のいずれか一つと定義され得る。以下においては、説明の便宜のために、第１方向をｘ方向と定義し、第２方向をｙ方向と定義する。
【００６６】
図７乃至９は、本発明の一実施例に係るタッチ表示装置のタッチ電極を示す図である。
【００６７】
タッチ電極ＴＥは、第１方向に延びた第１サブタッチ電極ＳＴＥ１と、第２方向に延びた第２サブタッチ電極ＳＴＥ２を含むことができる。ここで、第２サブタッチ電極ＳＴＥ２は、第１サブタッチ電極ＳＴＥ１から分岐される。ここで、第１サブタッチ電極ＳＴＥ１の個数は、第２サブタッチ電極ＳＴＥ２の個数より少ないか、または同様である。
【００６８】
図７を参照すると、タッチ電極ＴＥは、「Ｅ」形態であってよい。即ち、「Ｅ」形態のタッチ電極ＴＥは、第１方向に延びた１個の第１サブタッチ電極ＳＴＥ１と、第２方向に延びた３個の第２サブタッチ電極ＳＴＥ２を含むことができる。ここで、第２方向に延びた３個の第２サブタッチ電極ＳＴＥ２は、互いに離隔される。これによって、第２方向に延びた３個の第２サブタッチ電極ＳＴＥ２の間の離隔空間が形成される。
【００６９】
このように「Ｅ」形態にタッチ電極ＴＥを形成することで、第２サブタッチ電極ＳＴＥ２の間の離隔空間が形成される。第２方向に延びた第２サブタッチ電極ＳＴＥ２の間の離隔空間によって、タッチ表示パネル１１０が第１方向に容易に反るか、または巻かれるようになる。即ち、タッチ表示装置１００の反り特性が強化されるようになる。
【００７０】
図８を参照すると、タッチ電極ＴＥは、「
【数１】
2019021309.tif 000003
」形態であってよい。即ち、「
【数２】
2019021309.tif 000004
」形態のタッチ電極ＴＥは、第１方向に延びた２個の第１サブタッチ電極ＳＴＥ１と、第２方向に延びた３個の第２サブタッチ電極ＳＴＥ２を含むことができる。ここで、第２方向に延びた３個の第２サブタッチ電極ＳＴＥ２は、互いに離隔される。これによって、第２方向に延びた３個の第２サブタッチ電極ＳＴＥ２の間の離隔空間が形成される。
【００７１】
このように「
【数３】
2019021309.tif 000005
」形態にタッチ電極ＴＥを形成することで、第２サブタッチ電極ＳＴＥ２の間の離隔空間が形成される。第２方向に延びた第２サブタッチ電極ＳＴＥ２の間の離隔空間によって、タッチ表示パネル１１０が第１方向に容易に反るか、または巻かれるようになる。即ち、タッチ表示装置１００の反り特性が強化されるようになる。
【００７２】
図９を参照すると、タッチ電極ＴＥは、対称形態であってよい。タッチ電極ＴＥは、第１方向に延びた３個の第１サブタッチ電極ＳＴＥ１と、第２方向に延びた３個の第２サブタッチ電極ＳＴＥ２を含むことができる。ここで、第１方向に延びた３個の第１サブタッチ電極ＳＴＥ１は、互いに離隔され、第２方向に延びた３個の第２サブタッチ電極ＳＴＥ２もまた互いに離隔される。これによって、第１方向に延びた３個の第１サブタッチ電極ＳＴＥ１の間の離隔空間が形成され、第２方向に延びた３個の第２サブタッチ電極ＳＴＥ２の間の離隔空間も形成される。
【００７３】
そして、３個の第１サブタッチ電極ＳＴＥ１のうち中央に配置された第１サブタッチ電極ＳＴＥ１と、３個の第２サブタッチ電極ＳＴＥ２のうち中央に配置された第２サブタッチ電極ＳＴＥ２は、十字架状に重なり得る。これによって、図９に示された形態のタッチ電極ＴＥは、対称形態であってよい。
【００７４】
このように対称形態にタッチ電極ＴＥを形成することで、第１サブタッチ電極ＳＴＥ１の間の離隔空間が形成され、第２サブタッチ電極ＳＴＥ２の間の離隔空間が形成される。このように対称となる離隔空間によって、タッチ表示パネル１１０を全ての方向に容易に反らせるか、または巻くことが可能になる。即ち、タッチ表示装置１００の反り特性が強化される。
【００７５】
このように、本発明の一実施例に係るタッチ表示装置は、タッチパネル層を有機発光層および駆動層の下部に配置することで、タッチ表示装置の透過率を向上させることができる。
【００７６】
そして、本発明の一実施例に係るタッチ表示装置の第１方向に延びた第１サブタッチ電極の個数は、第２方向に延びた第２サブタッチ電極の個数より少ないか、または同様であることで、タッチ表示装置の反り特性を強化させることができる。
【００７７】
本発明の例示的な実施例は、下記のように説明され得る。
【００７８】
前述したような課題を解決するために、本発明の一実施例に係る表示装置は、タッチ表示パネル、および前記タッチ表示パネルと連結されたタッチ駆動部を含み、前記タッチ表示パネルは、複数のタッチ電極および複数のタッチラインが備えられたタッチパネル層、および前記タッチパネル層上に配置され、複数の薄膜トランジスタが備えられた駆動層を含む。
【００７９】
本発明の他の特徴によれば、前記タッチ表示パネルは、第１方向に反り、前記複数のタッチ電極それぞれは、前記第１方向に延びた少なくとも一つの第１サブタッチ電極、および前記第１サブタッチ電極から分岐され、前記第１方向と異なる第２方向に延びた少なくとも一つの第２サブタッチ電極を含み、前記第１サブタッチ電極の個数は、前記第２サブタッチ電極の個数より少ないか、または同様であってよい。
【００８０】
本発明のまた他の特徴によれば、前記タッチ電極は、「Ｅ」形態であってよい。
【００８１】
本発明のまた他の特徴によれば、前記タッチ電極は、「
【数４】
2019021309.tif 000006
」形態であってよい。
本発明のまた他の特徴によれば、前記タッチ駆動部は、ディスプレイ区間とタッチ区間に時分割駆動し、前記タッチ区間にのみタッチを感知できる。
【００８２】
本発明のまた他の特徴によれば、前記タッチ表示パネルは、前記複数のタッチ電極の間に配置される少なくとも一つのダミー電極をさらに含むことができる。
本発明のまた他の特徴によれば、前記ダミー電極の反射率は、前記タッチ電極の反射率と同様であってよい。
【００８３】
本発明のまた他の特徴によれば、前記駆動層上に配置され、前記複数の薄膜トランジスタと連結される有機発光ダイオードをさらに含むことができる。
【００８４】
本発明のまた他の特徴によれば、前記タッチ表示パネルは、自己静電容量（Ｓｅｌｆ−ｃａｐａｃｉｔｉｖｅ）方式で駆動され得る。
【００８５】
以上、添付の図面を参照して、本発明の実施例をさらに詳細に説明したが、本発明は、必ずしもこのような実施例に限定されるものではなく、本発明の技術思想を外れない範囲内で多様に変形実施され得る。従って、本発明に開示された実施例は、本発明の技術思想を限定するためのものではなく、説明するためのものであり、このような実施例によって本発明の技術思想の範囲が限定されるものではない。それゆえ、以上において記述した実施例は、全ての面で例示的なものであり、限定的ではないものと理解すべきである。本発明の保護範囲は、下記の請求の範囲によって解釈されるべきであり、それと同等な範囲内にある全ての技術思想は、本発明の権利範囲に含まれるものと解釈されるべきである。
【符号の説明】
【００８６】
１００：タッチ表示装置
１１０：タッチ表示パネル
１２０：データ駆動部
１３０：ゲート駆動部
１４０：タッチ駆動部
１１１：基板
１１３：タッチパネル層
１１５：駆動層
１１７：有機発光層
１１９：蓋層
【図１】
2019021309.tif 000008
【図２】
2019021309.tif 000009
【図３】
2019021309.tif 000010
【図４】
2019021309.tif 000011
【図５】
2019021309.tif 000012
【図６】
2019021309.tif 000013
【図７】
2019021309.tif 000014
【図８】
2019021309.tif 000015
【図９】
2019021309.tif 000016